(57)【要約】【課題】有効な検索条件で医療情報の検索を可能とすることで、有益な医療情報の提供を可能とすること。【解決手段】電気的通信回線５を介して端末３，４に接続された医療情報提供システムにおいて、少なくとも検査目的、情報種別、検査部位及び画像種別を関連付けて医療情報を記憶する記憶装置７，１５と、検査目的と情報種別と検査部位と画像種別の少なくとも一つを含む検索キーとともに端末から受信した医療情報提供要求に呼応して記憶装置を検索し、検索キーに該当する医療情報を端末に提供する管理装置６とを具備する。【選択図】      図１
2005202690.tif 000002
【特許請求の範囲】
【請求項１】
電気的通信回線を介して少なくとも一つの端末に接続された医療情報提供システムにおいて、
少なくとも検査目的、情報種別、検査部位及び画像種別を関連付けて医療情報を記憶する記憶装置と、
前記検査目的と情報種別と検査部位と画像種別の少なくとも一つを含む検索キーとともに前記端末から受信した医療情報提供要求に呼応して前記記憶装置を検索し、前記検索キーに該当する医療情報を前記端末に提供する管理装置とを具備することを特徴とする医療情報提供システム。
【請求項２】
電気的通信回線を介して少なくとも一つの端末に接続された医療情報提供システムにおいて、
情報種別として少なくとも画像／生理／病理を区別する情報種別コードを関連付けて医療情報を記憶する記憶装置と、
前記情報種別コードを含む検索キーとともに前記端末から受信した医療情報提供要求に呼応して前記記憶装置を検索し、前記検索キーに該当する医療情報を前記端末に提供する管理装置とを具備することを特徴とする医療情報提供システム。
【請求項３】
電気的通信回線を介して少なくとも一つの端末に接続された医療情報提供システムにおいて、
画像種別として少なくとも形態／機能／代謝を区別する画像種別コードを関連付けて医療情報を記憶する記憶装置と、
前記画像種別コードを含む検索キーとともに前記端末から受信した医療情報提供要求に呼応して前記記憶装置を検索し、前記検索キーに該当する医療情報を前記端末に提供する管理装置とを具備することを特徴とする医療情報提供システム。
【請求項４】
前記医療情報には、同一の被検体に対する同一の検査目的で発生した医療情報を相互に関連付けるための情報が付帯されていることを特徴とする請求項１，２又は３記載の医療情報提供システム。
【発明の詳細な説明】
【技術分野】
【０００１】
本発明は、医療情報を効果的に提供する医療情報提供システムに関する。
【背景技術】
【０００２】
現在、異なる医療機関で行われた診療、治療、投薬等の医療情報を一元的に管理する医療情報システムが特許文献１に記載されている。異なる医療機関の医療情報を相互に利用できる医療支援システムは特許文献２に記載されている。医療情報として最も典型的なのはＸ線コンピュータ断層撮影装置、Ｘ線診断装置、核医学診断装置、超音波診断装置、磁気共鳴映像装置等の画像診断装置により発生される画像情報である。画像ファイルは画像診断装置の種類ごとに分類され、患者情報や撮影情報等の付帯情報と共に記憶され、ＰＡＣＳ等で管理されている。
【０００３】
これら画像ファイルに代表される医療情報は、当該患者に関する現在の診断で使われた後、殆どの場合有効に活用されることは少ないのが実情である。その理由としては、画像ファイルの検索条件に自由度が少ないことが考えられる。
【特許文献１】特開２００２−７３８０７号公報
【特許文献２】特開平１１−４５３０４号公報
【発明の開示】
【発明が解決しようとする課題】
【０００４】
本発明の目的は、有効な検索条件で医療情報の検索を可能とすることで、有益な医療情報の提供を可能とすることにある。
【課題を解決するための手段】
【０００５】
本発明の局面は、電気的通信回線を介して少なくとも一つの端末に接続された医療情報提供システムにおいて、少なくとも検査目的、情報種別、検査部位及び画像種別を関連付けて医療情報を記憶する記憶装置と、前記検査目的と情報種別と検査部位と画像種別の少なくとも一つを含む検索キーとともに前記端末から受信した医療情報提供要求に呼応して前記記憶装置を検索し、前記検索キーに該当する医療情報を前記端末に提供する管理装置とを具備する。
【発明の効果】
【０００６】
本発明によると、検査目的、情報種別、検査部位及び画像種別等の有効な検索条件で医療情報を検索できる。
【発明を実施するための最良の形態】
【０００７】
以下図面を参照して本発明の実施形態を説明する。  
図１には、本実施形態の医療情報提供システムを示している。医療情報提供システムは、単一の病院内又は複数の病院間をカバーするシステムとして構築され、インターネット回線網、公衆電話回線網、構内情報通信網等の有線又は無線による電子的通信回線５に接続された病院総合情報システム（ＨＩＳ）１を有する。病院総合情報システム１は、カルテ、各種伝票、報告書、検査オーダー等の各種情報の電子化を実現したシステムであり、ここでは特にオーダーシステム２を中核として、診察室等に設置された複数の端末装置３，４を有している。電子的通信回線５にが、生化学自動分析装置８、心電計９、磁気共鳴映像装置（ＭＲＩ）１０、超音波診断装置（ＵＳ）１１、放射線部門情報管理システム（ＲＩＳ）１２が接続される。放射線部門情報管理システム１２は、放射線部門の検査予約、受け付け、撮影、画像ファイル管理等の業務管理のために専用設計された管理システムであり、Ｘ線診断装置（Ｘ−ＲＡＹ）１３、Ｘ線コンピュータ断層撮影装置（ＣＴ）１４、医療情報記憶装置１５を有する。医療情報記憶装置１５は、医療情報として、主にＸ線診断装置１３、Ｘ線コンピュータ断層撮影装置１４で発生した画像情報を記憶するために設けられている。その他の生化学自動分析装置８等で発生した病理情報、心電計９等で発生した生理情報、磁気共鳴映像装置１０や超音波診断装置１１等で発生した画像情報は医療情報記憶装置７に記憶される。複数の医療情報記憶装置７、１５に対する医療情報（病理情報、生理情報、画像情報）の書込み、読み出し等の動作は医療情報管理装置６で一元的に管理される。
【０００８】
図２には、本実施形態における医療情報記憶段階の動作手順を示している。なお、ここでは説明の便宜上、医療情報としてＸ線コンピュータ断層撮影装置１４で発生する画像情報を一例に説明する。ある診療室端末３から検査オーダー入力要求がオーダーシステム２に送信されると、オーダーシステム２は当該診療室端末３に対してオーダー情報入力画面ファイルを送信する。
【０００９】
オーダー情報入力画面には、図３に示すように、患者情報、依頼元情報（依頼診療科と依頼医師を特定する情報）、検査条件等の一般的な項目が含まれる。検査条件には、検査日時、検査機器、検査部位、撮影条件等の一般的な項目が含まれる。検査条件は検査ごとに入力される。周知のとおり、単一の検査目的は、単一の検査結果から達成され得ることもあるし、複数の検査の結果から総合的に達成されることもある。例えば心機能検査では心電計９による心電波形、Ｘ線診断装置１３による血管造影画像、ＣＴ１４のダイナミックスキャン結果等から総合的に判断される。そのために、「検査追加」ボタンのクリックで、任意に検査を追加し、検査ごとに検査条件を設定することができるようになっている。さらに、オーダーシステム２は検査目的に応じた検査プランを提供する機能を有している。そのためオーダーシステム２は複数の検査目的に対して複数の検査プランをそれぞれ対応付けたテーブルを記憶する記憶部を有している。検査プランには検査目的を達成する為に標準的に必要とされる１又は複数の検査がそれぞれの検査条件と共に含まれる。検査プランの検査名をクリックにより、その検査条件が表示される。オーダー情報を入力する医師は検査プランを参考にして検査及び検査条件を容易に決定することができる。
【００１０】
上記患者情報、依頼元情報、検査条件、検査プランとともに、オーダー情報入力画面には、検査によって発生する検査／医療情報に関する属性として、検査目的、情報種別、画像種別を入力する欄が表示される。検査目的は、複数の検査で共通であり、複数の検査に対して単一の検査目的が入力され、一方、情報種別及び画像種別は検査ごとに入力される。検査目的は、当該オーダーにより依頼する検査により発生する医療情報の使用目的として定義され、例えば心機能検査、脳血流検査、肺がん検査等から選択される。典型的には、適当な操作により検査目的欄から複数の検査目的を含む検査目的リストがプルダウンで展開するので、その中から特定の検査目的が選択される。情報種別は、当該オーダーによる検査により発生する医療情報の種別として定義され、例えば画像情報、生理情報、病理情報から選択される。典型的には、適当な操作に情報種別欄から複数の情報種別を含む情報種別リストがプルダウンで展開するので、その中から特定の情報種別が選択される。画像種別は、当該オーダーによる画像検査により発生する画像情報の種別又は画像目的として定義され、例えば形態画像、機能画像、代謝画像から選択される。典型的には、適当な操作に画像種別欄から複数の画像種別を含む情報種別リストがプルダウンで展開するので、その中から特定の画像種別が選択される。情報種別、画像種別は、依頼者が選択する検査目的に応じてオーダーシステム２から提供される検査プランとともに提供される。
【００１１】
「オーダー送信」ボタンのクリックに伴ってオーダー情報が端末３からオーダーシステム２にオーダー情報が送信される。オーダー情報には、オーダー情報入力画面で入力された全ての項目が含まれている。オーダーシステム２は、受信したオーダー依頼に対して検査ごとに検査ＩＤを発行し、オーダーごとにオーダーＩＤを発行する。オーダーＩＤが共通する複数の検査は、同一の被検体に対して同一の検査目的のために依頼された検査の関係にあることを表している。従ってオーダーＩＤにより、同一の被検体に対する同一の検査目的で発生した医療情報を相互に関連付けることができる。
【００１２】
オーダーシステム２は、オーダーファイルを該当検査機器としてここではＣＴ１４に送信すると共に、同じオーダーファイルを医療情報管理装置６に送信する。ＣＴ１４ではオーダーファイルに従って検査（ここでは画像撮影）が行われ、画像ファイルが発生される。医療情報管理装置６ではオーダーファイルに従って画像付帯情報が発生される。画像付帯情報には、患者情報、依頼元情報等と共に、検査ＩＤ、オーダーＩＤ、検査目的コード、情報種別コード、検査部位コード、画像種別コードに関する項目が含まれる。
【００１３】
画像ファイルは、医療情報管理装置６を経由して又は医療情報管理装置６の管理のもと直接的に、ＣＴ画像ファイル保管用の医療情報記憶装置１５に送られ、画像付帯情報を関連付けられて記憶される。
【００１４】
なお、画像ファイルに検査目的コード、情報種別コード、検査部位コード、画像種別コードを関連付ける代わりに、図４に示すように、検査目的フォルダ、情報種別フォルダ、検査部位フォルダ、画像種別フォルダで階層構造を構築し、最下層の画像種別フォルダ内に画像ファイルを保管させるようにしても良い。
【００１５】
このように画像ファイルに検査目的コード、情報種別コード、検査部位コード、画像種別コードが関連付けられているので、画像ファイルに関する検査目的、情報種別、検査部位、画像種別の各属性を知り得る。さらに、検査目的、情報種別、検査部位、画像種別を任意に組み合わせて画像ファイルを検索することもできる。さらに、画像ファイルには、オーダーＩＤが関連付けられているので、同じ被検体に対して同じ検査目的のために発生された複数の検査結果としての画像ファイルを相互に特定して表示させることも可能である。
【００１６】
図５には、本実施形態における医療情報提供段階の動作手順を示している。ある診療室端末３から情報提供要求が医療情報管理装置６に送信されると、医療情報管理装置６は当該診療室端末３に対して検索情報入力画面ファイルを送信する。検索情報入力画面には、オーダー情報入力画面と同様に、患者情報、依頼元情報等の一般的な項目とともに、検査目的、情報種別、検査部位、画像種別の項目が含まれる。情報被提供者は患者情報、依頼元情報、検査目的、情報種別、検査部位、画像種別等の入力可能な項目の全て又は任意の一部の項目を検索キーとして入力する。これら検索キーは医療情報管理装置６に送信される。
【００１７】
医療情報管理装置６では、検索キーに従って、管理下にある医療情報記憶装置７、１５を検索する。検索キーは、検査目的、情報種別、検査部位、画像種別が含まれている場合、患者、依頼元、検査日等の従来同様の条件で絞り込まれる医療情報を、検査目的、情報種別、検査部位、画像種別で更に絞り込んだり、または特定の検査目的等で過去に実行した検査で発生した医療情報を参考情報として確認すること等様々に応用することができる。
【００１８】
医療情報記憶装置７、１５から検索条件に合致した医療情報、例えば画像ファイルがその付帯情報と共に医療情報管理装置６を経由して又は直接的に要求元の端末３に送信される。端末３には、検索条件に合致した画像がその付帯情報と共に表示される。上述したように、付帯情報にはオーダーＩＤが含まれる。オーダーＩＤは、オーダー単位で発行され、同一の被検体に対して同一の検査目的のために依頼された検査で共用されている。このオーダーＩＤにより、同一の被検体に対する同一の検査目的で発生した医療情報を相互に関連付けることができるので、医療情報管理装置６は、現在表示している画像と同じオーダーＩＤであって、他の検査ＩＤの医療情報（関連医療情報という）の提供要求を、端末３から受けることができる。医療情報管理装置６は、関連医療情報の提供要求を受けたとき、下に表示している医療情報と同じオーダーＩＤで、医療情報記憶装置７、１５を検索する。当該オーダーＩＤと同じオーダーＩＤが関連付けられている関連医療情報、例えば関連画像ファイルがその付帯情報と共に医療情報管理装置６を経由して又は直接的に要求元の端末３に送信される。端末３には、その関連画像がその付帯情報と共に表示される。必要に応じて、関連医療情報の提供処理が繰り返される。
【００１９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２０】
【図１】本実施形態に係る医療情報提供システムの構成例を示す図。
【図２】本実施形態に係る医療情報提供システムの情報記憶段階での処理の流れを示す図。
【図３】図２のオーダー情報入力画面例を示す図。
【図４】本実施形態における検査目的、情報種別、部位、画像種別の階層的意味付けを示す概念図。
【図５】本実施形態に係る医療情報提供システムの情報提供段階での処理の流れを示す図。
【符号の説明】
【００２１】
１…病院総合情報システム（ＨＩＳ）、２…オーダーシステム、３…診察室端末、４…診察室端末、５…電子的通信回線、６…医療情報管理装置、７…医療情報記憶装置、８…生化学自動分析装置、９…心電計、１０…磁気共鳴映像装置（ＭＲＩ）、１１…超音波診断装置（ＵＳ）、１２…放射線部門情報管理システム（ＲＩＳ）、１３…Ｘ線診断装置（Ｘ−ＲＡＹ）、１４…Ｘ線コンピュータ断層撮影装置（ＣＴ）、１５…医療情報記憶装置。
【図１】
2005202690.tif 000003
【図２】
2005202690.tif 000004
【図３】
2005202690.tif 000005
【図４】
2005202690.tif 000006
【図５】
2005202690.tif 000007